(57)【要約】【課題】寝台部の電気機器とヘッドボードの電気機器とが配線接続された電気機器付きベッドにおいて、ベッドメーキングの作業性及び電気機器の信頼性の向上を図ることである。【解決手段】空調装置付きベッド（1）では、寝台部（11）内の脚側空調ユニット（51a）とヘッドボード（20）内の頭側空調ユニット（60a）とが配線（100）接続されている。ヘッドボード（20）及び寝台部（11）には、伸縮自在の制限部材（27）の一端及び他端が取り付けられている。制限部材（27）は、寝台部（11）とヘッドボード（20）とが離隔するのに伴って伸長し、伸長限界となると、寝台部（11）とヘッドボード（20）とがそれ以上離隔しないようにする。制限部材（27）は、伸長限界となる状態において、各ユニット（60a,51a）間の離隔距離が配線（100）の長さ以下となるように構成されている。【選択図】図９
2007252504.tif 000002
【特許請求の範囲】
【請求項１】
寝台部（11）及び該寝台部（11）の頭側に配置されるヘッドボード（20）を有するベッド本体（10）と、
上記寝台部（11）に収納される電気機器（51a,60a）と上記ヘッドボード（20）に収納される電気機器（60a,80）とを接続する配線（100）とを備える電気機器付きベッドであって、
上記寝台部（11）と上記ヘッドボード（20）とは、離隔接続自在に構成される一方、
上記寝台部（11）の電気機器（51a,60a）と上記ヘッドボード（20）の電気機器（60a,80）との離隔距離が上記配線（100）の長さ以下となるように、上記寝台部（11）とヘッドボード（20）との離隔距離を制限する移動制限手段（27）が設けられている
ことを特徴とする電気機器付きベッド。
【請求項２】
請求項１において、
上記ベッド本体（10）には、少なくとも就寝者の頭側を空気調和する空調装置（50）が収納され、
上記寝台部（11）の電気機器（51a,60a）及びヘッドボード（20）の電気機器（60a,80）の少なくとも何れか一方は、空調装置（50）の電気機器（51a,60a,80）である
ことを特徴とする電気機器付きベッド。
【請求項３】
請求項２において、
上記空調装置（50）は、就寝者の脚側を空気調和する脚側空調手段（51）と就寝者の頭側を空気調和する頭側空調手段（60）とを備え、
上記寝台部（11）の電気機器（51a,60a）は、上記脚側空調手段（51）の電気機器（51a）であり、
上記ヘッドボード（20）の電気機器（60a,80）は、上記頭側空調手段（60）の電気機器（60a）である
ことを特徴とする電気機器付きベッド。
【請求項４】
請求項２において、
上記空調装置（50）は、就寝者の頭側を空気調和する頭側空調手段（60）と、就寝者の脚側を空気調和する脚側空調手段（51）と、上記頭側空調手段（60）及び脚側空調手段（51）を運転制御する制御機器（80）とを備え、
上記寝台部（11）の電気機器（51a,60a）は、上記脚側空調手段（51）及び上記頭側空調手段（60）の少なくとも何れか一方の電気機器（51a,60a）であり、
上記ヘッドボード（20）の電気機器（60a,80）は、上記制御機器（80）である
ことを特徴とする電気機器付きベッド。
【請求項５】
請求項１において、
上記移動制限手段（27）は、一端が上記ヘッドボード（20）に取り付けられる一方、他端が上記寝台部（11）に取り付けられ、一端から他端に向かう方向に伸縮自在に構成されている
ことを特徴とする電気機器付きベッド。
【請求項６】
請求項５において、
上記ベッド本体（10）には、上記移動制限手段（27）を収容するための凹部（27a）が形成されている
ことを特徴とする電気機器付きベッド。
【請求項７】
請求項５において、
上記移動制限手段（27）には、一端から他端に、上記配線（100）を貫挿させるための配線通路（27b）が形成されている
ことを特徴とする電気機器付きベッド。
【請求項８】
請求項１において、
上記寝台部（11）及びヘッドボード（20）は、ベッド本体（10）を形成する２つのベッド部材（11,20）を構成する一方、
上記移動制限手段（27）は、一端が一方の第１のベッド部材（20）に取り付けられて他方の第２のベッド部材（11）に向かって延びる棒状部材（28）と、上記第２のベッド部材（11）に形成されて上記棒状部材（28）の他端が貫通する貫通孔（11b）と、上記棒状部材（28）の他端に形成され、第１のベッド部材（20）と第２のベッド部材（11）との離隔距離が所定間隔になると、第２のベッド部材（11）に当接するストッパー（29）とを備えている
ことを特徴とする電気機器付きベッド。
【請求項９】
請求項８において、
上記棒状部材（28）には、一端から他端に、上記配線（100）を貫挿させるための配線通路（28a）が形成されている
ことを特徴とする電気機器付きベッド。
【発明の詳細な説明】
【技術分野】
【０００１】
本発明は、電気機器付きベッドに関するものである。
【背景技術】
【０００２】
従来から、ベッド本体に電気機器が収納された電気機器付きベッドが知られている（例えば、特許文献１）
特許文献１に記載の睡眠カプセルでは、ベッド本体に、就寝者の頭側及び脚側の空気調和を行う空調装置の電気機器が収納されている。
【０００３】
上記睡眠カプセルは、睡眠用のマットが設置される床台（寝台部）及びヘッドボードを兼用する空気流出入部を備えたカプセル本体（ベッド本体）と、カプセル本体を覆う覆い部材と、頭部空調手段及び足部空調手段とを備えている。
【０００４】
上記マットは、床台の上面よりも小さく形成され、上記空気流出入部に当接して配置され、マットから露出した床台の上面には、足部空調手段の吹出口及び吸込口が形成されいてる。一方、上記空気流出入部には、頭部空調手段の吹出口及び吸込口が形成されいてる。
【０００５】
各空調手段は、床台に収納された電気機器である空調ユニットを備えている。各空調ユニットは、１つのケース内の空気通路に配置される空調ファンと、排熱通路に配置される排熱ファンと、両通路に跨る熱電素子とを備えている。また、頭部空調手段では、空調ユニットの空気通路が上記空気流出入部に接続される一方、足部空調手段では、空調ユニットの空気通路が床台上面の吹出口及び吸込口に接続されている。このような構成により、頭側及び脚側の空気調和が個別に行われる。
【０００６】
また、上記空調装置の電気機器を備えたベッドには、寝台部及び該寝台部に当接して床面に立設するヘッドボードを有するベッド本体と、寝台部に収納された脚側空調手段及びヘッドボードに収納された頭側空調手段を有する空調装置を備えたものがある（特願２００６−２３１２５）。
【０００７】
ところで、電気機器付きベッドを、ホテルなどの施設などで用いる場合、ベッドメーキング作業が毎日のように行われる。電気機器を有しないベッドでは、従来から、ベッドメーキング作業の円滑化についての検討が行われている（例えば、特許文献２）。
【０００８】
特許文献２に記載のベッドは、ベッドボトム（寝台部）とベッドマット（マットレス）とからなり、就寝時には、別体のヘッドボードに当接する一方、ベッドメーキング時には、ヘッドボードから離隔される。
【特許文献１】特開２００６−１０２８０号公報
【特許文献２】特許２８０９８０３号公報
【発明の開示】
【発明が解決しようとする課題】
【０００９】
ところで、電気機器付きベッドでは、寝台部内の電気機器とヘッドボード内の電気機器とが配線接続されている場合がある。
【００１０】
具体的に、空調装置の電気機器を備えたベッドでは、頭側空調手段がヘッドボードに収納され、脚側空調手段が寝台部に収納されている場合、各空調手段を連動運転させるために、各空調手段の電気機器が互いに配線接続される。また、ヘッドボード内に空調手段が収納され、該空調手段を制御する制御機器が寝台部に収納されたベッドでは、該制御機器と各空調手段の電気機器とが配線接続される。また、寝台部内に空調手段が収納され、該空調手段を制御する制御機器がヘッドボードに収納されたベッドでは、該制御機器と各空調手段の電気機器とが配線接続される。更に、ヘッドボードに照明機器などを設けたベッドでは、該照明機器と寝台部に収納した空調手段とを連動させるために、空調手段の電気機器と照明機器とが配線接続される場合がある。
【００１１】
このような場合、ベッドメーキングを行う為に寝台部とヘッドボードとを離隔すると、寝台部の電気機器とヘッドボードの電気機器とを接続する配線に引っ張り力がかかり、断線する虞があったために、ベッド本体に収納された電気機器の機器としての信頼性が低下するという問題点があった。そこで、従来は、この断線を防止するために、寝台部とヘッドボードとを一体に固着しており、ベッドメーキングの作業性が低下するという問題点があった。
【００１２】
本発明は、かかる点に鑑みてなされたものであり、寝台部の電気機器とヘッドボードの電気機器とが配線接続された電気機器付きベッドにおいて、ベッドメーキングの作業性及びベッドの電気機器の信頼性の向上を図ることである。
【課題を解決するための手段】
【００１３】
第１の発明は、寝台部（11）及び該寝台部（11）の頭側に配置されるヘッドボード（20）を有するベッド本体（10）と、上記寝台部（11）に収納される電気機器（51a,60a）と上記ヘッドボード（20）に収納される電気機器（60a,80）とを接続する配線（100）とを備える電気機器付きベッドであって、上記寝台部（11）と上記ヘッドボード（20）とは、離隔接続自在に構成される一方、上記寝台部（11）の電気機器（51a,60a）と上記ヘッドボード（20）の電気機器（60a,80）との離隔距離が上記配線（100）の長さ以下となるように、上記寝台部（11）とヘッドボード（20）との離隔距離を制限する移動制限手段（27）が設けられている。
【００１４】
この第１の発明では、ベッドメーキング時に、上記寝台部（11）を移動させるなどして、寝台部（11）とヘッドボード（20）とを離隔する。そして、寝台部（11）の電気機器（51a,60a）とヘッドボード（20）の電気機器（60a,80）との離隔距離が上記配線（100）の長さ以下の所定長さとなると、上記移動制限手段（27）により、寝台部（11）とヘッドボード（20）とが、それ以上離隔されないように移動が制限される。これにより、上記配線（100）に引っ張り力が加わることがない。そして、このように、上記寝台部（11）とヘッドボード（20）とが離隔された状態で、ベッドメーキングを行う。また、ベッドメーキングが終われば、寝台部（11）とヘッドボード（20）とを再び接続する。
【００１５】
第２の発明は、第１の発明において、上記ベッド本体（10）には、少なくとも就寝者の頭側を空気調和する空調装置（50）が収納され、上記寝台部（11）の電気機器（51a,60a）及びヘッドボード（20）の電気機器（60a,80）の少なくとも何れか一方は、空調装置（50）の電気機器（51a,60a,80）である。
【００１６】
この第２の発明では、ベッドメーキング時に、上記寝台部（11）を移動させるなどして、寝台部（11）とヘッドボード（20）とを離隔する。そして、空調装置（50）の電気機器（51a,60a,80）と、該空調装置（50）の電気機器（51a,60a,80）が配線（100）によって接続された電気機器との距離が、配線（100）の長さ以下の所定長さとなると、上記移動制限手段（27）により、寝台部（11）とヘッドボード（20）とが、それ以上離隔されないように移動が制限される。これにより、空調装置（50）の電気機器（51a,60a,80）が接続された配線（100）に引っ張り力が加わることがない。
【００１７】
第３の発明は、第２の発明において、上記空調装置（50）は、就寝者の脚側を空気調和する脚側空調手段（51）と就寝者の頭側を空気調和する頭側空調手段（60）とを備え、上記寝台部（11）の電気機器（51a,60a）は、上記脚側空調手段（51）の電気機器（51a）であり、上記ヘッドボード（20）の電気機器（60a,80）は、上記頭側空調手段（60）の電気機器（60a）である。
【００１８】
この第３の発明では、ベッドメーキング時に、上記寝台部（11）を移動させるなどして、寝台部（11）とヘッドボード（20）とを離隔する。そして、脚側空調手段（51）の電気機器（51a）と頭側空調手段（60）の電気機器（60a）との離隔距離が上記配線（100）の長さ以下の所定長さとなると、上記移動制限手段（27）により、寝台部（11）とヘッドボード（20）とが、それ以上離隔されないように移動が制限される。これにより、脚側空調手段（51）の電気機器（51a）と頭側空調手段（60）の電気機器（60a）とを接続する配線（100）に引っ張り力が加わることがない。
【００１９】
第４の発明は、第２の発明において、上記空調装置（50）は、就寝者の頭側を空気調和する頭側空調手段（60）と、就寝者の脚側を空気調和する脚側空調手段（51）と、上記頭側空調手段（60）及び脚側空調手段（51）を運転制御する制御機器（80）とを備え、上記寝台部（11）の電気機器（51a,60a）は、上記脚側空調手段（51）及び上記頭側空調手段（60）の少なくとも何れか一方の電気機器（51a,60a）であり、上記ヘッドボード（20）の電気機器（60a,80）は、上記制御機器（80）である。
【００２０】
この第４の発明では、ベッドメーキング時に、上記寝台部（11）を移動させるなどして、寝台部（11）とヘッドボード（20）とを離隔する。そして、上記制御機器（80）と空調手段（51,60）の電気機器（51a,60a）との離隔距離が上記配線（100）の長さ以下の所定長さとなると、上記移動制限手段（27）により、上記寝台部（11）とヘッドボード（20）とが、それ以上離れないように移動が制限される。これにより、制御機器（80）と空調手段（51,60）の電気機器（51a,60a）とを接続する配線（100）に引っ張り力が加わることがない。
【００２１】
第５の発明は、第１の発明において、上記移動制限手段（27）は、一端が上記ヘッドボード（20）に取り付けられる一方、他端が上記寝台部（11）に取り付けられ、一端から他端に向かう方向に伸縮自在に構成されている。
【００２２】
この第５の発明では、ヘッドボード（20）と寝台部（11）とが離隔接続するのに伴って、上記移動制限手段（27）が伸縮する。つまり、上記移動制限手段（27）は、ヘッドボード（20）と寝台部（11）とが離隔されるのに伴って伸長し、伸長限界（最長）の長さになると、ヘッドボード（20）と寝台部（11）とがそれ以上離隔されないように移動を制限する。
【００２３】
第６の発明は、第５の発明において、上記ベッド本体（10）には、上記移動制限手段（27）を収容するための凹部（27a）が形成されている。
【００２４】
この第６の発明では、上記移動制限手段（27）を上記凹部（27a）に収容して、就寝時の通常用いられる状態において、寝台部（11）とヘッドボード（20）とを確実に接続する。
【００２５】
第７の発明は、第５の発明において、上記移動制限手段（27）には、一端から他端に、上記配線（100）を貫挿させるための配線通路（27b）が形成されている。
【００２６】
この第７の発明では、上記配線（100）を上記移動制限手段（27）の配線通路（27b）に貫挿させることにより、上記配線（100）のベッド本体（10）から抜け出た部分を上記移動制限手段（27）に格納する。
【００２７】
第８の発明は、第１の発明において、上記寝台部（11）及びヘッドボード（20）は、ベッド本体（10）を形成する２つのベッド部材（11,20）を構成する一方、上記移動制限手段（27）は、一端が一方の第１のベッド部材（20）に取り付けられて他方の第２のベッド部材（11）に向かって延びる棒状部材（28）と、上記第２のベッド部材（11）に形成されて上記棒状部材（28）の他端が貫通する貫通孔（11b）と、上記棒状部材（28）の他端に形成され、第１のベッド部材（20）と第２のベッド部材（11）との離隔距離が所定間隔になると、第２のベッド部材（11）に当接するストッパー（29）とを備えている。
【００２８】
この第８の発明では、第１のベッド部材（20）と第２のベッド部材（11）とが離隔接続するのに伴って、上記棒状部材（28）が第２のベッド部材（11）の貫通孔（11b）を入出する。つまり、上記移動制限手段（27）では、棒状部材（28）が、ヘッドボード（20）と寝台部（11）とが離隔されるのに伴って第２のベッド部材（11）から徐々に抜出し、ストッパー（29）が第２のベッド部材（11）に当接すると抜出する長さが最長となる抜出限界となり、各ベッド部材（11,20）がそれ以上離隔されないように移動を制限する。
【００２９】
第９の発明は、第８の発明において、上記棒状部材（28）には、一端から他端に、上記配線（100）を貫挿させるための配線通路（28a）が形成されている。
【００３０】
この第９の発明では、上記配線（100）を、上記棒状部材（28）の配線通路（28a）に貫挿させることにより、上記配線（100）のベッド本体（10）から抜け出た部分を上記棒状部材（28）に格納する。
【発明の効果】
【００３１】
本発明によれば、上記寝台部（11）と上記ヘッドボード（20）とを、離隔接続自在に構成すると共に、上記寝台部（11）と上記ヘッドボード（20）との離隔距離を制限する移動制限手段（27）を設けたために、ベッドメーキング時に、寝台部（11）とヘッドボード（20）とを離隔することができると共に、寝台部（11）とヘッドボード（20）とを離隔しても、寝台部（11）の電気機器（51a,60a）とヘッドボード（20）の電気機器（60a,80）とを接続する配線（100）が断線することがない。これにより、ベッドメーキングの作業性及びベッド（1）に収納された電気機器（51a,60a,80）の機器としての信頼性が向上する。
【００３２】
また、上記第２の発明によれば、上記寝台部（11）の電気機器（51a,60a）及びヘッドボード（20）の電気機器（60a,80）の少なくとも何れか一方を、空調装置（50）の電気機器（51a,60a,80）としたために、ベッドメーキング時に、寝台部（11）とヘッドボード（20）とを離隔しても、空調装置（50）の電気機器（51a,60a,80）が接続された配線（100）が断線することがない。これにより、空調装置（100）の信頼性が向上する。
【００３３】
また、上記第３の発明によれば、上記寝台部（11）の電気機器（51a,60a）を、上記脚側空調手段（51）の電気機器（51a）とし、上記ヘッドボード（20）の電気機器（60a,80）を、上記頭側空調手段（60）の電気機器（60a）としたために、ベッドメーキング時に、寝台部（11）とヘッドボード（20）とを離隔しても、脚側空調手段（51）の電気機器（51a）と頭側空調手段（60）の電気機器（60a）とを接続する配線（100）が断線することがない。これにより、脚側空調手段（51）と頭側空調手段（60）の連動運転の信頼性が向上する。
【００３４】
また、上記第４の発明によれば、上記寝台部（11）の電気機器（51a,60a）を、上記空調手段（51,60）の少なくとも何れか一方の電気機器（51a,60a）とし、上記ヘッドボード（20）の電気機器（60a,80）を、上記制御機器（80）としたために、ベッドメーキング時に、寝台部（11）とヘッドボード（20）とを離隔しても、上記制御機器（80）と空調手段（51,60）の電気機器（51a,60a）とを接続する配線（100）が断線することがない。これにより、制御機器（80）による空調手段（51,60）の運転制御の信頼性が向上する。
【００３５】
また、上記第５の発明によれば、上記移動制限手段（27）の一端及び他端をヘッドボード（20）と寝台部（11）とに取り付けて伸縮自在に構成したため、上記移動制限手段（27）が、伸長限界（最長）の長さになると、ヘッドボード（20）と寝台部（11）とがそれ以上離隔されないように制限することができるので、簡素な機構でヘッドボード（20）と寝台部（11）との離隔距離を制限することができる。
【００３６】
また、上記第６の発明によれば、上記ベッド本体（10）には、上記移動制限手段（27）を収容するための凹部（27a）を形成したために、上記移動制限手段（27）を上記凹部（27a）に収容して、就寝時の通常用いられる状態において、寝台部（11）とヘッドボード（20）とを確実に接続することができる。
【００３７】
また、上記第７の発明によれば、上記移動制限手段（27）に配線通路（27b）を形成したために、上記配線（100）がベッド本体（10）から抜け出た部分は、移動制限手段（27）に格納して保護することができる。
【００３８】
また、上記第８の発明によれば、移動制限手段（27）が、棒状部材（28）と第２のベッド部材（11）に形成されて棒状部材（28）の他端が貫通する貫通孔（11b）と棒状部材（28）の他端に形成されたストッパー（29）とを備えるようにしたために、ストッパー（29）が第２のベッド部材（11）に当接して棒状部材（28）が抜出限界となると、各ベッド部材（11,20）がそれ以上離隔されないように制限することができるので、簡素な機構でヘッドボード（20）と寝台部（11）との離隔距離を制限することができる。
【００３９】
また、上記第９の発明によれば、上記棒状部材（28）に配線通路（28a）を形成したために、上記配線（100）がベッド本体（10）から抜け出た部分は、棒状部材（28）により格納して保護することができる。
【発明を実施するための最良の形態】
【００４０】
以下、本発明の実施形態を図面に基づいて詳細に説明する。
【００４１】
《発明の実施形態１》
本実施形態の電気機器付きベッドは、図１から図３に示すように、就寝者の頭側及び脚側の空気調和を行う空調装置の電気機器を備えた空調装置付きベッド（1）であって、ベッド本体（10）と天蓋（40）と空調装置（50）と本発明の特徴である制限部材（27）とを備えている。
【００４２】
〈ベッドの構成〉
ベッド本体（10）は、図１及び図２に示すように、寝台部（11）と該寝台部（11）の頭側の端部に当接するヘッドボード（20）とを備えている。
【００４３】
（寝台部）
上記寝台部（11）は、扁平な直方体の台状に形成されている。寝台部（11）の上には、就寝者が横たわるためのマットレス（13）が載せられている。上記マットレス（13）は、上記寝台部（11）の上面の面積よりも一回り小さく形成され、寝台部（11）の上面には、マットレス（13）より露出した両側スペース（17）及び脚側スペース（16）が形成されている。また、上記マットレス（13）は、シーツ（13a）で覆われている。具体的に、該シーツ（13a）は、マットレス（13）の上面と四側面とを覆い、マットレス（13）の下方に折り込まれている。
【００４４】
上記両側スペース（17）には、就寝者の脚側に対応する位置に脚側給気口（18）が形成されている。一方、上記脚側スペース（16）には、中央部に脚側吸込口（19）が形成されている。また、上記脚側スペース（16）には、カーテン保持棒（15）が設けられている。該カーテン保持棒（15）は、寝台部（11）の上面と所定間隔を保って寝台部（11）の幅方向に延び、両側が下方に屈曲して寝台部（11）の脚側スペース（16）の両側に固定されている。該カーテン保持棒（15）は、後述する天蓋（40）のカーテン（47）が脚側スペース（16）の脚側吸込口（19）を塞いだりしないようにカーテン（47）を保持するものである。
【００４５】
また、上記寝台部（11）の下面には、寝台脚（12a）と車輪（12c）とが取り付けられている。具体的に、寝台部（11）の下面において、上記寝台脚（12a）は、脚側端部の両側部と中央部の両側部とに取り付けられ、上記車輪（12c）は、頭側端部の両側部に、車輪支持部（12b）を介して取り付けられている。このように、上記各車輪（12c）及び各寝台脚（12a）は、床面に接触して寝台部（11）を支持している。そして、寝台部（11）は、脚側端部が上方へ持ち上げられることにより寝台脚（12a）が床面から離れて車輪（12c）のみが床面に接触する状態となり、この状態で、寝台部（11）が脚側の方向へ引っ張られることにより、ヘッドボード（20）から離隔されるように構成されている。また、寝台部（11）とヘッドボード（20）との間には、寝台部（11）の離隔距離を制限する移動制限手段である制限部材（27）が設けられている。
【００４６】
（ヘッドボード）
上記ヘッドボード（20）は、図１及び図２に示すように、上記寝台部（11）における就寝者の頭側の端部に立設されている。上記ヘッドボード（20）は、図４に示すように、ボード本体（20a）とダクト部材（30）とを備えている。
【００４７】
上記ボード本体（20a）は、前面板（21）と背面板（22）と上面板（25）と下面板（24）と２枚の側面板（23）とを備え、横長の扁平な矩形状の箱形に形成されている。また、上記前面板（21）には、第１通風グリル（21a）が設けられ、上記背面板（22）の両側には、第２通風グリル（22a）が設けられ、上記各側面板（23）の下部には、第３通風グリル（23a）が設けられている。
【００４８】
上記ダクト部材（30）は、図４に示すように、上記ボード本体（20a）内において、上記第１通風グリル（21a）の後方に配置され、後述する頭側空調ユニット（60a）の下部ケーシング（70a）に載置されている。上記ダクト部材（30）は、頭側空調ユニット（60a）の調和空気（SA1）を導くためのものであり、頭側給気口（32a）及び頭側吸込口（33b）が形成されている。
【００４９】
具体的に、該ダクト部材（30）は、前面が開口し、側面視台形状の扁平な横長の矩形体に形成され、背板（36）と左右の側板（35）と該左右の側板（35）との間に設けられる上側板（31）下側板（33）とを備えている。また、上側板（31）と下側板（33）と間に仕切板（32）が設けられている。
【００５０】
上記頭側給気口（32a）は、上記仕切板（32）の中央部に横長の長方形状に形成され、上記頭側吸込口（33b）は、上記下側板（33）の両側部に略正方形状に形成されている。上記上側板（31）の下面には、上記頭側給気口（32a）に対応した位置に、風向板（31a）が取り付けられている。また、上記下側板（33）の中央部に頭側中間給気口（33a）が形成されており、上記仕切板（32）と上記下側板（33）との間には、上記下側板（33）上記頭側吸込口（33b）と上記頭側中間給気口（33a）とを区画し且つ該頭側中間給気口（33a）と上記頭側給気口（32a）とを連通させる連通板（34）が形成されている。
【００５１】
〈天蓋の構成〉
上記天蓋（40）は、図３に示すように、カーテン（47）と該カーテン（47）を吊す天井部材（43）と該天井部材（43）を支持紐（42）を介して支持する支持部（41）とを備えている。
【００５２】
上記支持部（41）は、湾曲した棒状に形成され、一端がヘッドボード（20）のボード本体（20a）の上面板（25）の右側に固定され、他端が寝台部（11）の中央部上方に位置している。また、上記支持部（41）の他端には、支持紐（42）を保持する保持部（41a）が設けられている。
【００５３】
上記天井部材（43）は、天井枠（44）と天井蓋（45）とを備えている。上記天井枠（44）は、環状に形成され、上記支持部（41）の保持部（41a）に保持された４本の支持紐（42）を介して上記支持部（41）に垂下されている。なお、天井枠（44）を支持部（41）により支持する方法は、特に限定されず、連結棒などを介して支持するようにしてもよい。上記天井蓋（45）は、上記天井枠（44）と同じ大きさの外周を有する円形状に形成され、上記天井枠（44）の上に配置されて天井枠（44）内部を閉塞している。
【００５４】
上記カーテン（47）は、横方向に長い布材であり、上端側が、上記天井部材（43）の天井枠（44）にカーテンフックなどを介して吊されている。一方、上記カーテン（47）の下端側は、寝台部（11）の両側及び脚側の側面とヘッドボード（20）のボード本体（20a）の上面板（25）と側面板（23）の前面側とに接するように、ベッド本体（10）の周縁部まで延びている。このように、上記天蓋（40）は、ベッド本体（10）の寝台部（11）上方を覆って、就寝者が就寝する就寝空間（14）を形成している。
【００５５】
〈空調装置の構成〉
上記空調装置（50）は、図１及び図２に示すように、脚側空調手段（51）と頭側空調手段（60）と配線（100）とを備え、上記就寝空間（14）の空気調和を行うものである。
【００５６】
（脚側空調手段）
上記脚側空調手段（51）は、図１及び図２に示すように、寝台部（11）に収納され、脚側空調ユニット（51a）と脚側吸込口（19）と脚側給気口（18）とを備え、就寝者の脚側の空気調和を行うものである。
【００５７】
上記脚側空調ユニット（51a）は、寝台部（11）内において、就寝者の脚側に対応した位置で且つ脚側吸込口（19）の鉛直下方の空間よりも頭側よりに配置され、寝台部（11）に収納される電気機器に構成されている。上記脚側空調ユニット（51a）は、図５に示すように、脚側ケーシング（52）と脚側空調系統（53）とを備えている。
【００５８】
上記脚側ケーシング（52）は、該寝台部（11）の幅方向に長く、上記寝台部（11）内において、一方の脚側給気口（18）から他方の脚側給気口（18）まで延びる扁平な箱形に形成されている。上記脚側ケーシング（52）には、上面の両端部に凸部（52a）が形成され、該凸部（52a）の上面が上記寝台部（11）の脚側給気口（18）に対応している。また、上記脚側ケーシング（52）には、第１脚側開口（52b）及び第２脚側開口（52c）が形成されている。上記第１脚側開口（52b）は、上記凸部（52a）の上面全体に形成され、上記脚側給気口（18）と対応しており、上記第２脚側開口（52c）は、上記脚側ケーシング（52）の脚側端部側の側面の中央に、横長の長方形状に形成されている。
【００５９】
上記脚側空調系統（53）は、脚側ファン（55）と２つの電熱ヒータ（54）とを備えている。該電熱ヒータ（54）は、通電されることにより、空気を加熱するものである。上記各電熱ヒータ（54）は、脚側ケーシング（52）内において、上記第１脚側開口（52b）の内側に配置されている。また、上記脚側ファン（55）は、上記各電熱ヒータ（54）の間に配置されている。
【００６０】
（頭側空調手段）
上記頭側空調手段（60）は、図１及び図２に示すように、ヘッドボード（20）のボード本体（20a）に収納され、頭側空調ユニット（60a）と上記ダクト部材（30）とを備え、就寝者の頭側の空気調和を行うものである。
【００６１】
上記頭側空調ユニット（60a）は、図６及び図７に示すように、頭側ケーシング（70）と頭側空調系統（61）とコントローラ（80）とを備え、ヘッドボード（20）に収納される電気機器に構成されている。
【００６２】
上記頭側ケーシング（70）は、上記ボード本体（20a）内において、上記ダクト部材（30）の下方の空間に配置される下部ケーシング（70a）と、両側方に位置するダクトケーシング（70b）とからなり、背面パネル（71）、前面パネル（72）、２つの側面パネル（73）、下面パネル（74）、２つのカバーパネル（76）及び上面パネル（75）を備えている。
【００６３】
上記下部ケーシング（70a）は、ボード本体（20a）の下部に収納され、内部に頭側空調系統（61）が収納されており、下面パネル（74）の下面には脚部（74a）が設けられている。上記ダクトケーシング（70b）は、下部ケーシング（70a）の両側部の上方に設けられ、側面パネル（73）の上部とカバーパネル（76）とによって形成されている。そして左右のダクトケーシング（70b）の間には、下部ケーシング（70a）に載置された状態で、ダクト部材（30）が設けられている。
【００６４】
上記背面パネル（71）の上部の両側には、上記背面板（22）の第２通風グリル（22a）対応した位置に排熱側吸込口（71a）が形成され、該吸込口（71a）にはフィルタ等が配置されている。上記側面パネル（73）の下部には、上記側面板（23）の第３通風グリル（23a）に対応した排熱側吹出口（73a）が形成されている。
【００６５】
上記上面パネル（75）は、上記ダクト部材（30）の下側板（33）と略同じ形状に形成され、中央に上記下側板（33）の頭側中間給気口（33a）に対応する第１頭側開口（75a）が、両側に上記下側板（33）の頭側吸込口（33b）に対応する第２頭側開口（75b）がそれぞれ形成されている。
【００６６】
上記頭側ケーシング（70）では、下部ケーシング（70a）内の上面パネル（75）の鉛直下方の空間が利用側通路（83）を構成し、上記下部ケーシング（70a）内の両側部及び上記ダクトケーシング（70b）内の空間が排熱側通路（84）を構成している。
【００６７】
上記頭側空調系統（61）は、２つの頭側熱源ユニット（90）と頭側ファン（95）と２つの排熱側ファン（96）とを備えている。
【００６８】
上記各頭側熱源ユニット（90）は、いわゆるペルチェ素子である熱電素子（91）を備えている。該各熱電素子（91）は、上面パネル（75）の両端から鉛直下方に延びるように配置され、上記利用側通路（83）と排熱側通路（84）とを区画している。また、上記熱電素子（91）では、該利用側通路（83）に面した熱面が冷却面（91a）、排熱側通路（84）に面した熱面が加熱面（91b）となるように構成されている。
【００６９】
上記頭側熱源ユニット（90）では、上記熱電素子（91）の冷却面（91a）に利用側熱交換部（92）が、加熱面（91b）に排熱側熱交換部（93）が設けられている。つまり、上記利用側熱交換部（92）は、上記利用側通路（83）における上面パネル（75）の第２頭側開口（75b）の下方に配置され、上記排熱側熱交換部（93）は、排熱側通路（84）側に配置されている。上記利用側熱交換部（92）及び排熱側熱交換部（93）の詳細については、図示を省略するが、熱電素子（91）の各熱面と同じ大きさに形成されて該熱電素子（91）を挟み込む台座と各台座から突出した複数のフィン群とをそれぞれ備えている。
【００７０】
また、上記各頭側熱源ユニット（90）と上記下面パネル（74）の間には、蒸散板ユニット（94）が配置されている。該蒸散板ユニット（94）は、ドレン回収部（94a）と蒸散部（94b）とを備えている。上記ドレン回収部（94a）は、利用側熱交換部（92）の下方に配置され、該利用側熱交換部（92）で発生したドレンを回収するものである。上記蒸散部（94b）は、複数の蒸散板（94d）を備えている。該蒸散板（94d）は、吸収部材を多孔質状で波形のシート状に形成にしたものであり、上記ドレン回収部（94a）で回収されたドレンを吸収するものである。上記蒸散板（94d）は、上記排熱側熱交換部（93）の下方において、背面パネル（71）から前面パネル（72）にかけて前後に並ぶように配置されている。また、上記ドレン回収部（94a）と蒸散部（94b）との間には、板状の仕切部（94c）が設けられている。上記仕切部（94c）は、頭側熱源ユニット（90）の熱電素子（91）の下方に位置し、上記利用側通路（83）と排熱側通路（84）とを区画している。また、上記蒸散板ユニット（94）では、ドレン回収部（94a）と蒸散部（94b）とが、下端部で連通し、ドレン回収部（94a）で回収されたドレンが、蒸散板（94d）の下端から吸収される。
【００７１】
上記頭側ファン（95）は、利用側通路（83）における各利用側熱交換部（92）の間に配置されている。一方、上記排熱側ファン（96）は、排熱側通路（84）における蒸散板ユニット（94）の蒸散部（94b）と排熱側吹出口（73a）の間に設けられている。このように、上記頭側ケーシング内では各機器（90,95,96）が横方向に並ぶように配置されている。
【００７２】
また、側面パネル（73）には、該排熱側ファン（96）の上方に断熱材（78）が取り付けられている。該断熱材（78）は、上記排熱側熱交換部（93）と側面パネル（73）の間に介在して排熱側熱交換部（93）の熱が頭側ケーシング（70）外に伝わらないようにするためのものである。なお、頭側ケーシング（70）では、各パネル（71,72,73,74）の内側に、このような頭側ケーシング（70）の内外での熱の出入りをを遮断する断熱材が適宜配置されている。
【００７３】
上記コントローラ（80）は、上記脚側空調系統（53）及び頭側空調系統（61）を連動して運転制御する制御機器であり、頭側ケーシング（70）の右側上方に配置されている。
【００７４】
具体的に、上記コントローラ（80）は、上記ベッド本体（10）の就寝者における頭側の温度が脚側の温度より低くなる温度分布が形成されるように、ベッド本体（10）における就寝者の脚側の温度が設定温度Ｔ（例えば、３０℃）となり、就寝者の頭側が上記設定温度Ｔより所定温度Δｔ（例えば、４℃）低い所定の低温度（Ｔ−Δｔ）（例えば、２６℃）となるように、各空調系統（53,61）を制御する。
【００７５】
なお、就寝者の頭側及び脚側の温度は特に限定されず、さらに、就寝者の就寝中に設定温度Ｔ及び所定温度Δｔを任意に変化させてもよいし、ヘッドボード（20）のボード本体（20a）の前面板（21）に設定ボタン等を設けて、就寝者がこれらの温度を適宜設定するようにしてもよい。
【００７６】
（配線）
上記配線（100）は、図１及び図２に示すように、上記各空調ユニット（51a,60a）を接続するものである。上記空調装置（50）では、上記コントローラ（80）が各空調系統（53,61）を連動して運転制御するため、コントローラ（80）は、頭側空調ユニット（60a）内において頭側空調系統（61）と電気的に接続される一方、別ユニットである脚側空調ユニット（51a）の脚側空調系統（53）とも電気的に接続されている。つまり、上記配線（100）は、上記コントローラ（80）と脚側空調系統（53）とを電気的に接続するためのものである。
【００７７】
具体的に、上記配線（100）は、脚側空調ユニット（51a）から導出され、寝台部（11）の第１配線孔（101）とヘッドボード（20）のボード本体（20a）の第２配線孔（102）を通って、頭側空調ユニット（60a）に導入されている。上記配線（100）の長さは、寝台部（11）とヘッドボード（20）のボード本体（20a）が当接した状態で、十分に弛みが生じる長さに形成されている。なお、本実施形態において、配線（100）の長さとは、脚側空調ユニット（51a）から導出されて頭側空調ユニット（60a）に導入されるまでの長さ（各ユニット（51a,60a）から抜け出ている長さ）であり、配線（100）のユニット（51a,60a）内部に延びる部分は含めないものとする。
【００７８】
〈制限部材の構成〉
上記制限部材（27）は、上述したように、寝台部（11）とヘッドボード（20）との間に設けられている。
【００７９】
具体的に、上記寝台部（11）には、図２に示すように、頭側の側板（11a）の中央に凹部（27a）が形成されている。該凹部（27a）の底面（27c）には、配線を貫通させるための第１配線孔（101）が形成されている。一方、上記ヘッドボード（20）のボード本体（20a）の前面板（21）には、寝台部（11）の第１配線孔（101）に対応した位置に、第２配線孔（102）が形成されている。そして、上記制限部材（27）は、一端がボード本体（20a）の第２配線孔（102）に対応する位置に取り付けられ、他端が上記寝台部（11）の第１配線孔（101）に対応する位置に取り付けられている。
【００８０】
上記制限部材（27）は、円筒部材で形成されると共に蛇腹構造に形成され、一端から他端に向かう方向に伸縮自在に構成されている。また、上記制限部材（27）の内部は、一端から他端に上記配線（100）を貫挿させるための配線通路（27b）が形成されている。これにより、第２配線孔（102）と第１配線孔（101）とは、配線通路（27b）を介して連通し、上記配線（100）が該配線通路（27b）を貫挿している。つまり、上記配線（100）のベッド本体（10）から抜け出した部分は、制限部材（27）に格納されている。
【００８１】
上記制限部材（27）は、圧縮された状態では、上記凹部（27a）に完全に収容されている。また、上記制限部材（27）は、寝台部（11）がヘッドボード（20）から離隔されるように移動するのに伴って伸長するように構成されている。
【００８２】
上記制限部材（27）が伸長限界（最長）となる状態において、寝台部（11）とヘッドボード（20）の離隔距離が最長となり、脚側空調ユニット（51a）と頭側空調ユニット（60a）との離隔距離も最長となる。そこで、上記制限部材（27）は、この伸長限界の状態において、各ユニット（60a,51a）の離隔距離が上記配線（100）の長さ以下となるように、伸長限界の長さが適宜選択されたものが用いられている。つまり、上記配線（100）の長さをＬ、第１配線孔（101）から脚側空調ユニット（51a）までの長さをａ、第２配線孔（102）から頭側空調ユニット（60a）までの長さをｂとすると、上記制限部材（27）は、伸長限界（最長）の長さが｛Ｌ−（ａ＋ｂ）｝以下になるように形成されている。
【００８３】
−空調運転動作−
次に、上記空調装置付きベッド（1）の動作について、図５〜図８に基づいて説明する。
【００８４】
就寝者が、上記ベッド（1）の天蓋（40）内部の就寝空間（14）で就寝を開始すると、上記コントローラ（80）は、就寝者の就寝の開始を検知して自動的に、又は就寝者の入力によって各空調系統（53,61）の運転制御を開始する。これにより、頭側空調ユニット（60a）では、熱電素子（91）の通電及び各ファン（95,96）の駆動が開始され、脚側空調ユニット（51a）では、電熱ヒータ（54）の通電及び脚側ファン（55）の駆動が開始され、就寝空間（14）の空気調和が行われる。
【００８５】
就寝空間（14）における就寝者の頭側では、図８に示すように、就寝空間（14）の空気（RA1）が、上記ヘッドボード（20）の第１通風グリル（21a）を介してダクト部材（30）の頭側吸込口（33b）から吸い込まれる。吸い込まれた空気（RA1）は、図６及び図７に示すように、上面パネル（75）の第２頭側開口（75b）を通って頭側空調ユニット（60a）の利用側通路（83）に導入され、頭側熱源ユニット（90）の利用側熱交換部（92）を通過して冷却され、所定の低温度（Ｔ−Δｔ）の頭側調和空気（SA1）に生成される。該頭側調和空気（SA1）は、頭側ファン（95）を通過し、上面パネル（75）の第１頭側開口（75a）及びダクト部材（30）の頭側中間給気口（33a）を通って仕切板（32）の頭側給気口（32a）から就寝者の頭側空間へ上方に向かって流出する。流出した上記頭側調和空気（SA1）は、図７に示すように、上記就寝者の頭側の上方から下方に広がるように流れ、上記ダクト部材（30）の頭側吸込口（33b）から再び吸い込まれる。このように、就寝者の頭側では、頭側給気口（32a）と頭側吸込口（33b）との間で頭側調和空気（SA1）のショートサーキット領域が形成され、就寝者の頭側は、所定の低温度（Ｔ−Δｔ）に保たれる。
【００８６】
また、上記頭側空調ユニット（60a）の排熱側通路（84）では、就寝空間（14）外の空気（OA）が、上記ボード本体（20a）の背面板（22）の第２通風グリル（22a）を介して排熱側吸込口（71a）から取り込まれ、上記排熱側熱交換部（93）で加熱処理される。加熱された空気（OA）は、蒸散板ユニット（94）の蒸散板（94d）の間を流れ、該蒸散板（94d）が吸収したドレンを蒸散させる。その後、該空気（OA）は、蒸散させたドレンの水蒸気と共に排熱側ファン（96）を通って排熱側吹出口（73a）から流出し、ヘッドボード（20）の側面板（23）の第３通風グリル（23a）から流出する。
【００８７】
一方、就寝空間（14）における就寝者の脚側では、図８に示すように、就寝者の脚側の空気（RA2）が脚側吸込口（19）から吸い込まれる。吸い込まれた脚側の空気（RA2）は、図５に示すように、脚側空調ユニット（51a）の脚側ケーシング（52）の側面に形成された第２脚側開口（52c）から脚側ケーシング（52）内に取り込まれる。取り込まれた脚側空気（RA2）は、上記脚側ファン（55）を通過し、電熱ヒータ（54）を通って加熱され、設定温度Ｔの脚側調和空気（SA2）に生成される。上記脚側調和空気（SA2）は、上記脚側ケーシング（52）の第１脚側開口（52b）を介して寝台部（11）の脚側給気口（18）から流出し、図８に示すように、内側に向かって上昇した後に中央部で互いに衝突して下降し、上記脚側吸込口（19）に再び吸い込まれる。なお、脚側調和空気（SA2）が内側に向かって上昇するのは、図３の天蓋（40）のカーテン（47）の内側面に沿って上昇するためである。このように、就寝者の脚側では、脚側給気口（18）と脚側吸込口（19）との間で脚側調和空気（SA2）のショートサーキット領域が形成され、就寝者の脚側は、設定温度Ｔに保たれる。
【００８８】
以上のように、就寝空間（14）では、就寝者における頭側の温度が脚側の温度より低い人体の部位別の快適性に適した「頭寒足熱」の温度分布を形成する空気調和が行われる。
【００８９】
−ベッドメーキング時の動作−
次に、本発明の特徴であるベッドメーキング時の動作について、図２及び図９に基づいて説明する。ベッドメーキングは、図３で示した天蓋（40）のカーテン（47）が開いた状態で行われる。
【００９０】
先ず、上記寝台部（11）は、ベッドメーキングの作業者などにより、脚側端部が持ち上げられ、頭側から脚側へ向かう方向に引く力が加えられる。これにより、寝台部（11）に取り付けられた車輪（12c）が回転して、寝台部（11）がヘッドボード（20）から離隔する方向に移動する。この際、上記制限部材（27）は、上記寝台部（11）の移動に伴って徐々に伸長する。上記制限部材（27）が伸長限界の長さに達すると、上記寝台部（11）に作業者などによる引く力が加えられても、寝台部（11）はそれ以上移動しなくなり、寝台部（11）の移動が制限される。そして、制限部材（27）が伸長限界の長さとなる状態において、脚側空調ユニット（51a）と頭側空調ユニット（60a）との離隔距離は、上記配線（100）の長さ以下であるので、該配線（100）に引っ張り力が加わることがない。
【００９１】
このように、寝台部（11）とヘッドボード（20）とが離隔されることにより、マットレス（13）の四側面全てが露出し、且つ作業者がマットレス（13）の周囲を制限部材（27）が設けられた箇所を除いて自由に移動することができる状態となり、ベッドメーキング作業が行われる。具体的に、上記作業者などにより、マットレス（13）の使用済みのシーツ（13a）が剥離され、代わりに、新しいシーツ（13a）がマットレス（13）の上面及び四側面全てを覆うように掛けられて、マットレス（13）の下方に折り込まれる。
【００９２】
ベッドメーキング終了後、上記作業者などにより、寝台部（11）の脚側端部が持ち上げられ、寝台部（11）の脚側から頭側へ向かう方向へ押される。これにより、寝台部（11）に取り付けられた車輪（12c）が回転し、寝台部（11）は、ヘッドボード（20）に向かって移動する。この際、上記制限部材（27）は徐々に圧縮されて上記寝台部（11）の凹部（27a）に収容され、上記寝台部（11）は、該ボード本体（20a）に当接する。
【００９３】
−実施形態１の効果−
上記空調装置付きベッド（1）では、上記ヘッドボード（20）のボード本体（20a）及び上記寝台部（11）に、一端及び他端が取り付けられた伸縮自在の制限部材（27）を設けたために、ベッドメーキング時に寝台部（11）とヘッドボード（20）とを離隔することができると共に、寝台部（11）とヘッドボード（20）とを離隔しても、脚側空調ユニット（51a）と頭側空調ユニット（60a）とを接続する配線（100）が断線することがない。これにより、ベッドメーキング作業を円滑に行うことができると共に、脚側空調手段（51）と頭側空調手段（60）の連動運転の信頼性が向上し、空調装置（50）の機器としての信頼性が向上する。
【００９４】
また、寝台部（11）の頭側の側板（11a）に凹部（27a）を形成したために、就寝時の通常用いられる状態（制限部材（27）が圧縮された状態）において、上記制限部材（27）を上記凹部（27a）に収容して、寝台部（11）とヘッドボード（20）のボード本体（20a）を確実に当接することができる。
【００９５】
また、制限部材（27）に配線通路（27b）を形成したために、上記配線（100）がベッド本体（10）から抜け出した部分は、制限部材（27）に格納して保護することができる。つまり、配線（100）のベッド本体（10）から抜け出した部分が剥き出しの状態であれば、作業者などが、寝台部（11）とヘッドボード（20）の間に入ってベッドメーキング作業をする場合、配線（100）に躓くなどして、配線（100）が断線してしまう虞があるが、このような原因による配線（100）の断線を防止することができる。また、寝台部（11）がヘッドボード（20）に当接した状態となる際に、配線（100）が寝台部（11）とヘッドボード（20）との間に挟まって押しつぶされることを防止することができる。
【００９６】
《発明の実施形態２》
本発明の実施形態２は、上記実施形態１が、制限部材（27）が蛇腹構造を有して伸縮自在に構成したことに代わり、図１０に示すように、制限部材（27）を棒状部材（28）と寝台部（11）に形成された貫通孔（11b）と棒状部材（28）に形成されたストッパー（29）とから構成したものである。
【００９７】
具体的に、上記棒状部材（28）は、一端から他端に配線通路（28a）が形成された筒状に形成されている。へッドボード（20）のボード本体（20a）には、実施形態１と同様に第２配線孔（102）が形成されている。上記ヘッドボード（20）は、上記ボード本体（20a）の第２配線孔（102）に対応した位置に上記棒状部材（28）の一端が取り付けられ、第１のベッド部材に構成されている。一方、寝台部（11）は、頭側の側板（11a）に貫通孔（11b）が形成され、第２のベッド部材に構成されている。上記棒状部材（28）の他端は、寝台部（11）の方向に延びて該寝台部（11）の貫通孔（11b）を貫通し、寝台部（11）の内部に位置している。また、上記ストッパー（29）は、上記棒状部材（28）の他端に上記貫通孔（11b）よりも大径に形成されて寝台部（11）の頭側の側板（11a）に当接可能に形成され、該棒状部材（28）の配線通路（28a）と連通する配線用開口（29a）を備えている。
【００９８】
上記配線（100）は、上記脚側空調ユニット（51a）から導出され、ストッパー（29）の配線用開口（29a）及び棒状部材（28）の配線通路（28a）を通り、ボード本体（20a）の第２配線孔（102）を通って、頭側空調ユニット（60a）に導入されている。
【００９９】
本実施形態の制限部材（27）は、棒状部材（28）が、寝台部（11）がヘッドボード（20）から離隔するように移動するのに伴って、寝台部（11）の貫通孔（11b）から徐々に抜出し、上記ストッパー（29）が寝台部（11）の頭側の側板（11a）に当接すると、抜出する長さが最長となる抜出限界となり、上記寝台部（11）がそれ以上移動できなくするように構成されている。つまり、上記制限部材（27）は、棒状部材（28）が抜出限界となる状態では、寝台部（11）とヘッドボード（20）の離隔距離が最長となり、脚側空調ユニット（51a）と頭側空調ユニット（60a）との離隔距離も最長となる。そこで、上記制限部材（27）では、この棒状部材（28）が抜出限界となる状態において、各ユニット（60a,51a）の離隔距離が上記配線（100）の長さ以下となるように、棒状部材（28）の棒長さが適宜選択されたものが用いられている。つまり、上記配線（100）の長さをＬ、貫通孔（11b）から脚側空調ユニット（51a）までの長さをａ、第２配線孔（102）から頭側空調ユニット（60a）までの長さをｂとすると、上記棒状部材（28）は、長さが｛Ｌ−（ａ＋ｂ）｝以下に形成されている。
【０１００】
これにより、ベッドメーキング時には、図１０（ｂ）に示すように、寝台部（11）がヘッドボード（20）のボード本体（20a）から離隔するように移動し、棒状部材（28）が抜出限界となると、該寝台部（11）がそれ以上移動しなくなる。そして、棒状部材（28）が抜出限界の長さとなる状態において、脚側空調ユニット（51a）と頭側空調ユニット（60a）との離隔距離は、上記配線（100）の長さ以下であるので、該配線（100）に引っ張り力が加わることがない。
【０１０１】
このように、寝台部（11）とヘッドボード（20）とが離隔することにより、マットレス（13）の四側面全てが露出し、且つ作業者がマットレス（13）の周囲の略全体を自由に移動することができる状態となり、ベッドメーキング作業が行われる。
【０１０２】
そして、ベッドメーキング終了後、上記寝台部（11）は、ヘッドボード（20）に向かって移動する。この際、棒状部材（28）が寝台部（11）の中に徐々に入り、寝台部（11）は該ボード本体（20a）に当接する。
【０１０３】
本実施形態では、実施形態１と同様に、上記寝台部（11）をヘッドボード（20）から離隔させて、ベッドメーキングを円滑に行うことができると共に、該寝台部（11）をヘッドボード（20）から離隔しても、配線（100）が断線されることがないので、脚側空調手段（51）と頭側空調手段（60）の連動運転の信頼性が向上し、空調装置（50）の機器としての信頼性が向上する。
【０１０４】
その他の構成、作用及び効果は、実施形態１と同じである。
【０１０５】
《その他の実施形態》
上記実施形態については、以下のような構成としてもよい。
【０１０６】
上記実施形態１では、制限部材（27）が蛇腹構造を有して伸縮自在に構成されていたが、伸縮自在となる構成は、特に限定されない。例えば、制限部材（27）は、テレスコープ型に構成されていてもよい。
【０１０７】
また、上記実施形態１では、寝台部（11）に制限部材（27）を収容する凹部（27a）を形成したが、ヘッドボード（20）のボード本体（20a）に凹部（27a）を形成してもよい。また、上記実施形態２では、寝台部（11）に棒状部材（28）の貫通孔（11b）を形成したが、ヘッドボード（20）のボード本体（20a）に貫通孔（11b）を形成してもよい。また、上記各実施形態では、寝台部（11）がヘッドボード（20）から離隔されるように移動したが、ヘッドボード（20）が寝台部（11）から離隔されるように移動するようにしてもよい。
【０１０８】
また、上記各実施形態では、制限部材（27）が、寝台部（11）とヘッドボード（20）のボード本体（20a）とに亘って設けられていたが、何れか一方に取り付けてもよい。例えば、ヘッドボード（20）のボード本体（20a）が床面に固定されて配置される場合、寝台部（11）と床面の所定位置とを連結部材で接続することにより、寝台部（11）の移動を制限して離隔距離を制限するようにしてもよい。
【０１０９】
また、上記各実施形態では、頭側空調ユニット（60a）及び脚側空調ユニット（51a）を備えるようにしたが、第２の発明においては、頭側空調ユニット（60a）のみを備えている構成であってもよい。その場合は、例えば、ヘッドボード（20）に収納された頭側空調ユニット（60a）を寝台部（11）に収納されたコントローラ（80）や電源などとを配線（100）接続して、該頭側空調ユニット（60a）とコントローラ（80）や電源との離隔距離が配線（100）の長さ以下となるように制限する制限部材（27）を設けてもよい。
【０１１０】
さらに、上記各実施形態では、頭側空調ユニット（60a）をヘッドボード（20）のボード本体（20a）に収容したが、第４の発明においては、制御機器であるコントローラ（80）をヘッドボード（20）のボード本体（20a）に収納し、頭側ケーシング（70）及び頭側空調系統（61）からなる頭側空調ユニット（60a）を脚側空調ユニット（51a）と共に寝台部（11）に収納し、コントローラ（80）と各空調ユニット（51a,60a）と配線（100）で接続してもよい。この場合、コントローラ（80）と各空調ユニット（51a,60a）との離隔距離が配線（100）の長さ以下となるように、寝台部（11）とヘッドボード（20）との離隔距離を制限する制限部材（27）を設ければよい。
【０１１１】
さらに、ヘッドボード（20）に照明機器を収納し、寝台部（11）に空調装置（50）の空調ユニット（51a,60a）を収納し、照明機器と空調ユニット（51a,60a）とを配線（100）で接続した場合は、該照明機器と空調ユニット（51a,60a）との離隔距離が配線（100）の長さ以下となるように寝台部（11）とヘッドボード（20）との離隔距離を制限する制限部材（27）を設ければよい。
【０１１２】
さらに、電気機器付きベッドは、空調装置（50）を備えないベッドであってもよい。例えば、ヘッドボード（20）に収納された照明装置と寝台部（11）に収納された音発生装置や匂い発生装置などの目覚まし装置などの電気機器とを配線（100）で接続し、これらの機器の離隔距離が配線（100）の長さ以下になるように離隔制限する制限部材（27）を設けてもよい。
【０１１３】
なお、以上の実施形態は、本質的に好ましい例示であって、本発明、その適用物、あるいはその用途の範囲を制限することを意図するものではない。
【産業上の利用可能性】
【０１１４】
以上説明したように、本発明は、電気機器付きベッドについて有用である。
【図面の簡単な説明】
【０１１５】
【図１】実施形態１に係る空調装置付きベッドの天蓋を除いた状態を示す斜視図である。
【図２】実施形態１に係る空調装置付きベッドの天蓋を除いた状態を示す図であり、（ａ）が側面視、（ｂ）が上面視である。
【図３】実施形態１に係る空調装置付きベッドの天蓋のカーテンを閉めた状態を示す斜視図である。
【図４】実施形態１に係るヘッドボードの構成を示す斜視図である。
【図５】実施形態１に係る脚側空調ユニットの構成及び運転動作中の空気の流れを示す図であり、（ａ）が内部構造を示す上面視、（ｂ）が寝台部の脚側端部から視た側面視である。
【図６】実施形態１に係る頭側空調手段の構成と運転動作中の空気の流れとを示す図であり、（ａ）が前面パネルとカバーパネルを取り外した状態における前面視、（ｂ）が側面視である。
【図７】実施形態１に係る頭側空調手段の構成と運転動作中の空気の流れとを示すダクト部材と頭側空調ユニットとを分解した分解斜視図である。
【図８】実施形態１に係る空調装置付きベッドの運転動作中の頭側及び脚側の空気の流れを示す斜視図である。
【図９】実施形態１に係る空調装置付きベッドのベッドメーキング時の動作を示す側面視である。
【図１０】実施形態２に係る空調装置付きベッドの天蓋を除いた状態を示す図であり、（ａ）が就寝時に用いられる状態における側面視、（ｂ）がベッドメーキング時における側面視である。
【符号の説明】
【０１１６】
1      空調装置付きベッド（電気機器付きベッド）
10      ベッド本体
11      寝台部、第２のベッド部材
11b     貫通孔
20      ヘッドボード、第１のベッド部材
27      移動制限部材（移動制限手段）
27a     凹部
27b     配線通路
28      棒状部材
28a     配線通路
29      ストッパー
50      空調装置
51      脚側空調手段
51a     脚側空調ユニット（電気機器）
60      頭側空調手段
60a     頭側空調ユニット（電気機器）
80      コントローラ（制御機器）
100      配線
【図１】
2007252504.tif 000003
【図２】
2007252504.tif 000004
【図３】
2007252504.tif 000005
【図４】
2007252504.tif 000006
【図５】
2007252504.tif 000007
【図６】
2007252504.tif 000008
【図７】
2007252504.tif 000009
【図８】
2007252504.tif 000010
【図９】
2007252504.tif 000011
【図１０】
2007252504.tif 000012